(57)【要約】【課題】特別な訓練技術習得の必要も無く一般人でも確実な槍の突出し動作を可能とし、槍の柄長を短くして携帯性を高めることのできる槍用突出機構を提供する。【解決手段】突出管柄３が基管柄２内を摺動する突出機構であり、基管柄２は一端が石突１０とされ、他端が突出柄挿入端１１であり、仕切板１２で仕切る主室２ａ内にばね案内パイプ１４が設けられ、突出管柄３は一端が身柄取付部１５であり、他端が突出ばね受３ａとし、ストップピン１７がストップピン孔１６に対し、連結線２４を接続し止め部材を有して固定され、立係止板２３と操作レバー２２と操作支点２１と連結線２４とで構成されるスタート部４と、主室２ａ内に収納され、ばね案内パイプ１４によってガイドされる突出ばね５と、基管柄の副室２ｂ内に収納される緩衝ばね６と、制止ワイヤ３７と緩衝ワイヤ３８と中間調整体３９とで構成される制止部７とで構成される。【選択図】  図１
2004147544.tif 000002
【特許請求の範囲】
【請求項１】
身と柄とで構成される槍に用いられる突出機構であって、前記柄が基管柄と突出管柄とで形成され、前記突出管柄が前記基管柄内を摺動して突出する機構であり、
（イ）前記基管柄はパイプ材であって、一端が着脱自在の石突によって閉栓状態とされ、他端が開放状態の突出柄挿入端であり、石突側端部付近の内側において、通孔を中心に有する仕切板を設けて、前記基管柄内部を主室及び副室に区分けし、主室内には、前記基管柄と同心軸のばね案内パイプが一端を前記仕切板に固定して設けられ、
（ロ）前記突出管柄は、外径が前記基管柄の内径に対して摺動可能とする隙間を有するパイプ材であって、一端が身の柄を取り付ける身柄取付部であり、他端が開放状態であって、その端面を突出ばね受とし、後記突出ばねの圧縮セット位置まで前記基管柄内に挿入される際に、前記基管柄の突出柄挿入端に対して近傍位置において直径方向に貫通するストップピン孔が設けられ、着脱自在なストップピンが前記ストップピン孔に対し、両端を出して一端には後記スタート部の連結線が接続され、他端には抜け防止の止め部材を有して設けられ、
（ハ）後記連結線の連結リングを掛止め可能であり、この掛止めを片手指操作によって解除できる位置において、前記基管柄外周に起立状態に固定される立係止体と、
一端が前記突出管柄の前記ストップピンに対して回動自在に取り付けられ、他端には立係止体に掛止めできる連結リングを備え、前記突出管柄が後記突出ばねの圧縮セット位置まで前記基管柄内に挿入される際に、前記ストップピンと前記立係止体とを結ぶ長さに形成される連結線とで、構成されるスタート部と、
（ニ）圧縮コイルばねであり、前記基管柄の主室内に収納され、一端が前記主室側仕切板の主室ばね受と接面し、他端が前記突出管柄の突出ばね受と接面し、前記ばね案内パイプによって伸縮時にコイル内径側がガイドされる突出ばねと、
（ホ）圧縮コイルばねであり、前記基管柄の副室内に収納され、一端が前記副室側仕切板の副室ばね受と接面し、他端が後記制止部の止ピンと接面する緩衝ばねと、
（ヘ）一端がスリット状の制止溝であって、前記ストップピンに対して摺動自在とされ、他端が後記中間調整体に連結される制止ワイヤと、
一端が長円状の止溝であって、前記止溝に着脱自在に設ける止ピンを、前記緩衝ばねに接面させるばね受けとし、他端が後記中間調整体に連結される緩衝ワイヤと、
両ワイヤの間に配設されるリンクチェーンの中間調整体とで構成され、前記基管柄及び突出管柄内の同軸中心線上に配設される制止部とを、
設けることを特徴とする槍用突出機構。
【請求項２】
上記スタート部は、
上記基管柄の突出柄挿入端付近の上記基管柄外周位置において半径方向に固定される操作支点と、
長板であり、一端付近に穿孔される支点孔が前記操作支点に係合され、かつ前記操作支点を中心に回転自在かつ面方向に揺動可能に軸支され、後記連結線の連結リングが掛止め可能な連結溝を備える操作レバーと、
後記連結リングが掛止めされている前記操作レバーを係止する位置であり、前記操作レバーの側端を当接させて解除後の前記操作レバー回転を制止する位置において、上記基管柄外周に起立状態に固定され、片手指操作によって前記操作レバーを回転及び揺動させて、前記操作レバーとの係止を外して、前記操作レバーから後記連結リングの掛止めを解除することのできる立係止体と、
一端が上記突出管柄のストップピンに対して回動自在に取り付けられ、他端には前記操作レバーの連結溝に掛止めできる連結リングを備え、上記突出管柄が上記突出ばねの圧縮セット位置まで上記基管柄内に挿入される際に、上記ストップピンと前記連結溝とを結ぶ長さに形成される連結線とで、構成されることを特徴とする請求項１に記載される槍用突出機構。
【請求項３】
上記スタート部は、
上記基管柄の突出柄挿入端付近の上記基管柄外周位置において半径方向に固定される操作支点と、
長板状の基片と、前記基片に連続して一側が切られて狭幅とする指操作片とで形成される操作レバーであって、前記基片の一端付近の長手方向中心線より一側に偏った位置に支点孔が穿孔され、前記支点孔を前記操作支点に係合して、前記操作支点を中心に回転自在かつ面方向に揺動可能に軸支され、前記支点孔と反対側の前記基片側辺から斜めに前記支点孔に向かって形成されて後記連結線の連結リングを掛止め可能とする連結溝を備える操作レバーと、
内側にレバー移動溝を有する矩形板であり、前記レバー移動溝が縦溝及び横溝によって鉤状に形成され、前記縦溝に二段階状に第１係止段及び第２係止段が形成され、前記横溝が前記操作レバーの指操作片が水平に通過できる間隙を有し、前記操作支点を中心に前記操作レバーを回転及び揺動させる際、前記操作レバーの指操作片のみが前記レバー移動溝内を移動可能な位置であり、基片側端のみが当接して回転制止される位置において、上記基管柄外周に起立状態、かつ上記基管柄軸線に対して斜めに固定され、片手指操作によって前記指操作片を回転及び揺動させて、前記指操作片との係止を外して、前記連結溝から後記連結リングの掛止めを解除することのできる立係止板と、
一端が上記突出管柄のストップピンに対して回動自在に取り付けられ、他端には前記操作レバーの連結溝に掛止めできる連結リングを備え、上記突出管柄が上記突出ばねの圧縮セット位置まで上記基管柄内に挿入される際に、上記ストップピンと前記連結溝とを結ぶ長さに形成される連結線とで、構成されることを特徴とする請求項１に記載される槍用突出機構。
【請求項４】
請求項３に記載する槍用突出機構を備え、動物捕獲補助具として用いる槍であって、
上記身柄取付部に装着される身は、柄付ナイフ又は柄付くくり具の少なくとも一方が選択され、ナイフ又はくくり具の柄が身柄となり、
上記突出管柄の身柄取付部は、前記身柄側面が接面可能な曲面の取付面を先端部分に備え、前記取付面へ接面する前記身柄を固定する身固定部材を備え、
帯ベルトを輪状に形成され、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられること、を特徴とする槍。
【請求項５】
上記制止部が１本の中央ワイヤによって形成され、一端がスリット状の制止溝であって、上記ストップピンに対して摺動自在とされ、他端が長円状の止溝であって、前記止溝に着脱自在に設ける止ピンを、上記緩衝ばねに接面させるばね受けとすること、を特徴とする請求項４に記載される槍。
【請求項６】
請求項３に記載する槍用突出機構を備え、動物捕獲補助具として用いる槍であって、
上記身柄取付部に装着される身は、柄付ナイフ又は柄付くくり具の少なくとも一方が選択され、ナイフ又はくくり具の柄が身柄となり、
上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置されること、を特徴とする槍。
【請求項７】
上記制止部が１本の中央ワイヤによって形成され、一端がスリット状の制止溝であって、上記ストップピンに対して摺動自在とされ、他端が長円状の止溝であって、前記止溝に着脱自在に設ける止ピンを、上記緩衝ばねに接面させるばね受けとすること、を特徴とする請求項６に記載される槍。
【請求項８】
請求項３に記載する槍用突出機構を備え、動物の撃退に用いる槍であって、
上記スタート部が、上記操作レバーへの手指の不要接触、又は上記操作レバーの不要回転、の少なくとも一方を阻止する安全部材を追加し、
上記身柄取付部に装着される身が鞘付ナイフであり、鞘付ナイフが身柄を備え、上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置されること、を特徴とする槍。
【請求項９】
請求項３に記載する槍用突出機構を備え、模擬戦闘ゲームに用いる槍であって、
上記スタート部が、上記操作レバーへの手指の不要接触、又は上記操作レバーの不要回転、の少なくとも一方を阻止する安全部材を追加し、
上記身柄取付部に装着される身が模造刀であり、模造刀が身柄を備え、
上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置されること、を特徴とする槍。
【発明の詳細な説明】
【０００１】
【発明の属する技術分野】
本発明は、槍用の突出機構に関し、またこの突出機構備える槍であって、動物捕獲補助具、動物の撃退具、模擬戦闘ゲーム具の各々用途に使用される槍に関する。この動物捕獲補助具は、捕獲装置に掛った動物の止め刺し作業、又は動物の動きを鈍らせるくくり作業に使用する。
【０００２】
【従来の技術】
古来より槍は、突刺武器の一つとして狩猟、戦闘、儀礼等に用いられ、長い柄の先に鋭利な刃物を身として着装する構成である。使い方としては、手に持って目標を突き刺すか、又は投げ付けて目標に命中させる（例えば、非特許文献１参照）。槍の所作は、現代スポーツでは古武道の槍術として武道の一つに分類されている（例えば、非特許文献２参照）。そして、現代の槍の用途は多方面に及び、多種多様な形態が可能となっている。
例えば、槍の第１用途として動物捕獲補助具が有る。この動物捕獲補助具とは、動物捕獲装置に捕らえられた動物に対して、最終的に完全捕獲する際の二つの補助作業を行うための器具である。二つの補助作業の一つは、動物の止め刺し作業である。この止め刺し作業は、「くくり罠、捕獲用箱形おり等」の動物捕獲装置に捕まえられて暴れている動物（特に、猪等の中型獣）を致死又は抵抗できない瀕死状態にすべく、槍，ナイフ等によって腹を突き刺し又は棒にて殴る作業である。補助作業の二つ目は動物のくくり作業である。このくくり作業は、他の補助作業等を行い易くするため、動物捕獲装置に捕まった動物の動きを鈍くさせる作業である。このくくり作業は、例えば、わな結び（非特許文献３参照）したロープ輪によって動物の足、鼻先等を緊縮し、ロープを張って足等の自由を奪い、動物の動きを鈍くする作業である。また、長い柄の先にわな結びの結び部分を固定し、動物に近づくことなく長い柄を使って、足等にロープ輪を掛け、ロープを引っ張って動物を括るように工夫している。これは、狩猟者の間で実施されており、特に先行技術文献は存在しない。
また、槍の第２用途として動物撃退が有る。山菜取り又は渓流釣り等の山に入るレジャーでは、猪、野犬等の危険動物に遭遇する場合も多く、これらを追い払い撃退する必要があるため、槍・ナイフ等が動物撃退用に一般的に使用されている。この場合も釣り人等が山野にて実施しており、特に先行技術文献は存在しない。
そして、槍の第３用途として模擬戦闘ゲームにおける玩具武器がある。この模擬戦闘ゲームとは、いわゆる「サバイバル・ゲーム」であり、エアガン等を使って遊ぶ戦争ごっこのことである。例えば、複数人が２チームに分かれて互いの陣地を攻撃しあうゲームである。ここで使用される玩具武器は、エアガン類が主流であるが、エアガン類の使用に限定せず、他の武器である刀・槍等を併用する場合もある。
【０００３】
【非特許文献１】
相賀徹夫編，「日本大百科全書２３」，初版，小学館，１９８８年９月１日，ｐ３１３−３１４
【非特許文献２】
高橋華王著，「銃剣道教本」，第１版，株式会社ベースボール・マガジン社，１９９３年７月１０日，ｐ２７−３０
【非特許文献３】
小暮幹雄著，「決定版ひもとロープの結び方」，第１刷，株式会社主婦の友社，２００１年３月２０日，ｐ３２
【０００４】
【発明が解決しようとする課題】
従来の槍は、武道具の一種にも分類できるように、その取扱にはある程度の鍛錬練習やコツ習得を必要とする。例えば、足元をしっかりとさせて立って構え、柄を両手で持って腰を入れて確実に突く等である。このため、一般人が特別な訓練なく、簡単かつ確実に突出しできる槍が所望されている。また、槍の柄は長いのが一般的であり（非特許文献１参照）、携帯に不便という問題がある。
また、動物捕獲補助具としての用途における槍では、第１の止め刺し作業の場合、動物捕獲用箱おりの格子の間から槍を入れて動物を突き刺すためには、突き刺し動作をより確実に行う必要がある。確実に突き刺しするためには、しっかりと槍を構える必要があるが、対象が野生動物であるために、その気配を敏感に感じて暴れ方がより激しくなってしまう。これらの状況下において、特に槍訓練等しない一般の狩猟者にとって、確実な突出動作は難しいという問題がある。また、槍の携帯性を良くすることは、槍使用の頻繁な狩猟者から強く要望されている。他方、携帯性の良い棒等を使う撲殺法もあるが、動物に近づく必要があるため、動物の反撃を受け易くて極めて危険であり、年に２乃至３名の事故死者を出している。この点からも槍の携帯性を良くし、棒に比べて安全な槍を普及させる要請もある。そして、第２のくくり作業の場合、一方の片手で長い柄を持って、空いたもう片方の片手（利き腕）によってロープを持って引き、動物の足等をロープ輪によって緊縮させる動作が必要となる。このため、くくる瞬間は片手にて動物を引っ張るので、足元の安定性を良くし、力も確実に加えないと危険となる。
このようなくくり作業は、訓練経験不足の一般狩猟者にとっては、難しいという問題がある。
【０００５】
また、動物撃退の用途における槍では、渓流釣り・山菜取り等が谷あい・山岳斜面等といった足場の悪い所だけでなく藪の中といった条件の悪い場所では、長さ一定の柄を使って撃退するには取扱不便となる。また、条件の悪い場所では確実な突き刺し動作を行うのが難しいという問題もある。また、釣り人等からは、携帯性を良くした槍に対する要望も強い。
そして、模擬戦闘ゲームの用途における槍では、多彩な使用法を編み出しゲームの娯楽性を高めるために、玩具武器として多様な動作が求められ、また、ゲーム参加者の動きを俊敏にし、かつ模擬戦闘中は長さを変えた槍として多彩に使用できることから、槍に対する携帯性を高める要求も強い。
【０００６】
本発明は上述した問題点及び要望に鑑みてなされたものであり、その第１目的は、特別な訓練技術習得の必要も無く一般人でも確実な槍の突出し動作を可能とし、槍の携帯性を高めることのできる槍用突出機構を提供することである。また、第２目的は、動物の止め刺し作業において突き刺しの気配を動物に気づかれることなく、悪い足元等の悪条件下であっても一般狩猟者が簡単確実に槍の突出しでき、槍の携帯性を高めて、棒等の撲殺に代わって槍普及に貢献する、動物捕獲補助具の用途としての槍を提供することである。また、動物をくくる作業においても前述の確実な槍の突出動作によって、訓練経験不足の一般狩猟者でも安全かつ確実に、両手を使って動物をくくることができ、携帯性の良い動物捕獲補助具の用途としての槍を提供することでもある。また、第３目的は、釣り人等にとって足元の悪い所等においても、柄の長さを変えられるだけでなく、槍の確実な突出し動作によって動物撃退ができ、かつ携帯性の良い動物撃退用としての槍を提供することである。さらに、第４目的は、模擬戦闘ゲームに使用する玩具武器の槍に多様な動作を与えてゲームの娯楽性を高め、かつゲーム参加者の俊敏な動きを可能にする携帯性を有する模擬戦闘ゲーム用途の槍を提供することである。
【０００７】
【課題を解決するための手段】
上記第１目的を達成するため、請求項１に記載される槍用突出機構は、
身と柄とで構成される槍に用いられる突出機構であって、前記柄が基管柄と突出管柄とで形成され、前記突出管柄が前記基管柄内を摺動して突出する機構であり、
（イ）前記基管柄はパイプ材であって、一端が着脱自在の石突によって閉栓状態とされ、他端が開放状態の突出柄挿入端であり、石突側端部付近の内側において、通孔を中心に有する仕切板を設けて、前記基管柄内部を主室及び副室に区分けし、主室内には、前記基管柄と同心軸のばね案内パイプが一端を前記仕切板に固定して設けられ、
（ロ）前記突出管柄は、外径が前記基管柄の内径に対して摺動可能とする隙間を有するパイプ材であって、一端が身の柄を取り付ける身柄取付部であり、他端が開放状態であって、その端面を突出ばね受とし、後記突出ばねの圧縮セット位置まで前記基管柄内に挿入される際に、前記基管柄の突出柄挿入端に対して近傍位置において直径方向に貫通するストップピン孔が設けられ、着脱自在なストップピンが前記ストップピン孔に対し、両端を出して一端には後記スタート部の連結線が接続され、他端には抜け防止の止め部材を有して設けられ、
（ハ）後記連結線の連結リングを掛止め可能であり、この掛止めを片手指操作によって解除できる位置において、前記基管柄外周に起立状態に固定される立係止体と、
一端が前記突出管柄の前記ストップピンに対して回動自在に取り付けられ、他端には立係止体に掛止めできる連結リングを備え、前記突出管柄が後記突出ばねの圧縮セット位置まで前記基管柄内に挿入される際に、前記ストップピンと前記立係止体とを結ぶ長さに形成される連結線とで、構成されるスタート部と、
（ニ）圧縮コイルばねであり、前記基管柄の主室内に収納され、一端が前記主室側仕切板の主室ばね受と接面し、他端が前記突出管柄の突出ばね受と接面し、前記ばね案内パイプによって伸縮時にコイル内径側がガイドされる突出ばねと、
（ホ）圧縮コイルばねであり、前記基管柄の副室内に収納され、一端が前記副室側仕切板の副室ばね受と接面し、他端が後記制止部の止ピンと接面する緩衝ばねと、
（ヘ）一端がスリット状の制止溝であって、前記ストップピンに対して摺動自在とされ、他端が後記中間調整体に連結される制止ワイヤと、
一端が長円状の止溝であって、前記止溝に着脱自在に設ける止ピンを、前記緩衝ばねに接面させるばね受けとし、他端が後記中間調整体に連結される緩衝ワイヤと、
両ワイヤの間に配設されるリンクチェーンの中間調整体とで構成され、前記基管柄及び突出管柄内の同軸中心線上に配設される制止部とを、設ける。
また、請求項２に記載される槍用突出機構は、前記請求項１に対して、
上記スタート部は、
上記基管柄の突出柄挿入端付近の上記基管柄外周位置において半径方向に固定される操作支点と、
長板であり、一端付近に穿孔される支点孔が前記操作支点に係合され、かつ前記操作支点を中心に回転自在かつ面方向に揺動可能に軸支され、後記連結線の連結リングが掛止め可能な連結溝を備える操作レバーと、
後記連結リングが掛止めされている前記操作レバーを係止する位置であり、前記操作レバーの側端を当接させて解除後の前記操作レバー回転を制止する位置において、上記基管柄外周に起立状態に固定され、片手指操作によって前記操作レバーを回転及び揺動させて、前記操作レバーとの係止を外して、前記操作レバーから後記連結リングの掛止めを解除することのできる立係止体と、
一端が上記突出管柄のストップピンに対して回動自在に取り付けられ、他端には前記操作レバーの連結溝に掛止めできる連結リングを備え、上記突出管柄が上記突出ばねの圧縮セット位置まで上記基管柄内に挿入される際に、上記ストップピンと前記連結溝とを結ぶ長さに形成される連結線とで、構成される。
また、請求項３に記載される槍用突出機構は、前記請求項１に対して、
上記スタート部は、
上記基管柄の突出柄挿入端付近の上記基管柄外周位置において半径方向に固定される操作支点と、
長板状の基片と、前記基片に連続して一側が切られて狭幅とする指操作片とで形成される操作レバーであって、前記基片の一端付近の長手方向中心線より一側に偏った位置に支点孔が穿孔され、前記支点孔を前記操作支点に係合して、前記操作支点を中心に回転自在かつ面方向に揺動可能に軸支され、前記支点孔と反対側の前記基片側辺から斜めに前記支点孔に向かって形成されて後記連結線の連結リングを掛止め可能とする連結溝を備える操作レバーと、
内側にレバー移動溝を有する矩形板であり、前記レバー移動溝が縦溝及び横溝によって鉤状に形成され、前記縦溝に二段階状に第１係止段及び第２係止段が形成され、前記横溝が前記操作レバーの指操作片が水平に通過できる間隙を有し、前記操作支点を中心に前記操作レバーを回転及び揺動させる際、前記操作レバーの指操作片のみが前記レバー移動溝内を移動可能な位置であり、基片側端のみが当接して回転制止される位置において、上記基管柄外周に起立状態、かつ上記基管柄軸線に対して斜めに固定され、片手指操作によって前記指操作片を回転及び揺動させて、前記指操作片との係止を外して、前記連結溝から後記連結リングの掛止めを解除することのできる立係止板と、
一端が上記突出管柄のストップピンに対して回動自在に取り付けられ、他端には前記操作レバーの連結溝に掛止めできる連結リングを備え、上記突出管柄が上記突出ばねの圧縮セット位置まで上記基管柄内に挿入される際に、上記ストップピンと前記連結溝とを結ぶ長さに形成される連結線とで、構成される。
【０００８】
上記第２目的の止め刺し作業又はくくり作業の場合を達成するため、請求項４に記載される槍は、
請求項３に記載する槍用突出機構を備え、動物捕獲補助具として用いる槍であって、
上記身柄取付部に装着される身は、柄付ナイフ又は柄付くくり具の少なくとも一方が選択され、ナイフ又はくくり具の柄が身柄となり、
上記突出管柄の身柄取付部は、前記身柄側面が接面可能な曲面の取付面を先端部分に備え、前記取付面へ接面する前記身柄を固定する身固定部材を備え、
帯ベルトを輪状に形成され、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられる。
また、請求項５に記載される槍は、前記請求項４に対して、
上記制止部が１本の中央ワイヤによって形成され、一端がスリット状の制止溝であって、上記ストップピンに対して摺動自在とされ、他端が長円状の止溝であって、前記止溝に着脱自在に設ける止ピンを、上記緩衝ばねに接面させるばね受けとする。
また、請求項６に記載される槍は、
請求項３に記載する槍用突出機構を備え、動物捕獲補助具として用いる槍であって、
上記身柄取付部に装着される身は、柄付ナイフ又は柄付くくり具の少なくとも一方が選択され、ナイフ又はくくり具の柄が身柄となり、
上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置される。
また、請求項７に記載される槍は、前記請求項６に対して、
上記制止部が１本の中央ワイヤによって形成され、一端がスリット状の制止溝であって、上記ストップピンに対して摺動自在とされ、他端が長円状の止溝であって、前記止溝に着脱自在に設ける止ピンを、上記緩衝ばねに接面させるばね受けとする。
【０００９】
上記第３目的を達成するため、請求項８に記載される槍は、
請求項３に記載する槍用突出機構を備え、動物の撃退に用いる槍であって、
上記スタート部が、上記操作レバーへの手指の不要接触、又は上記操作レバーの不要回転、の少なくとも一方を阻止する安全部材を追加し、
上記身柄取付部に装着される身が鞘付ナイフであり、鞘付ナイフが身柄を備え、上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置される。
上記第４目的を達成するため、請求項９に記載される槍は、
請求項３に記載する槍用突出機構を備え、模擬戦闘ゲームに用いる槍であって、上記スタート部が、上記操作レバーへの手指の不要接触、又は上記操作レバーの不要回転、の少なくとも一方を阻止する安全部材を追加し、
上記身柄取付部に装着される身が模造刀であり、模造刀が身柄を備え、
上記突出管柄の身柄取付部は、前記身柄側面が接面可能な曲面の取付面を先端部分に備え、前記取付面へ接面する前記身柄を固定する身固定部材を備え、
帯ベルトを輪状に形成し、半円周長が上記突出管柄の挿入完了時の上記ストップピン位置から上記基管柄の石突位置までであり、一端を上記ストップピンに係合させ、他端を調整部材を介して上記基管柄に取付けて、人の肩掛可能とする肩ベルトが備えられ、
上記突出管柄の突出完了時に、上記基管柄内挿入方向への上記突出管柄の摺動を制止すべく、手動によってセットされる管固定部材が、上記基管柄の突出柄挿入端に配置される。
【００１０】
【発明の実施の形態】
以下に、請求項３に対応する槍用突出機構を使用する槍として、請求項４に対応する槍の第１実施形態について、図面を参照して説明する。第１実施形態の槍１は動物捕獲補助具の止め刺し作業に使用し、図１は中間省略の断面図である。
なお、図１は突出機構の構成を明確にするため軸方向より半径方向の寸法尺度を大きくして表現する。この槍１は身と柄とを主構成とし、基管柄２と突出管柄３とで柄が形成される。突出機構は、図１に示すように、突出管柄３が基管柄２内を摺動して突出する機構であり、基管柄２、突出管柄３、スタート部４、突出ばね５、緩衝ばね６及び制止部７によって構成され、肩ベルト８及び図示省略の身としてナイフ９を備えて槍１となる。
【００１１】
基管柄２はパイプ材であって、一端が着脱自在の石突１０によって閉栓状態とされ、他端が開放状態の突出柄挿入端１１である。石突１０は、挿入式又はねじを切ってねじ込み式等によって基管柄２に着脱自在に取り付けられる。図中符号１２は通孔１３を中心に有する仕切板であり、石突１０側端部付近の内側に設けられ、基管柄２内部を主室２ａ及び副室２ｂに区分けする。主室２ａ内において、基管柄２と同軸心のばね案内パイプ１４が、一端を仕切板１２に溶接又は接着剤によって固定して設けられる。ばね案内パイプ１４もパイプ材である。ばね案内パイプ１４の外径は、後述の突出ばね５のコイル内径をばね伸縮時にガイド可能であり、その内部空間は後述する制止部７を収納可能な容積を確保している。各パイプ材の使用材料は機械構造用炭素鋼管（ＪＩＳ  Ｇ  ３４４５）等の鋼管類を用いるが、強度的保証があれば合成樹脂材等の金属以外も採用できる（後述の突出管柄３についても同様である。）。石突１０は、適度な表面摩擦及び硬度が必要であるため、金属以外のゴム、木材、合成樹脂材等が好適である。
【００１２】
突出管柄３は、外径が基管柄２の内径に対して滑らかな摺動可能とする隙間を有し、パイプ肉厚が突出ばね５を受け得る面積有するパイプ材である。図１に示すように、突出ばね５を圧縮セット状態にすべく、突出管柄３が基管柄２内に挿入されると、挿入部分が重なって槍柄の全長を短くし携帯性を良くする。また、突出管柄３の長さは、突出時に基管柄２から飛び出さないように、重なり合う部分を形成できる長さとなっている。一端は身の柄を取り付ける身柄取付部１５であり、他端が開放状態であって、その端面を突出ばね受３ａとしている。この突出ばね受３ａは、パイプ肉厚分に限定されずに、環状板を配置又は接着等して、十分な受面積と接触端部保護等のばね受機能を高めることもできる。図１に示すように、突出管柄３が突出ばね５の圧縮セット位置まで基管柄２内に挿入される際、基管柄２の突出柄挿入端１１に対して近傍位置において、突出管柄外周直径方向に貫通するストップピン孔１６が設けられ、着脱自在なストップピン１７が両端を出してストップピン孔１６に回動可能に設けられる。そしてストップピン１７の頭側一端にはスタート部４の連結線２４が接続され、他端には抜け防止の止め部材としての止リング１８を有して、突出管柄３に対して設けられる。また、ストップピン１７は、連結線２４及び止リング１８を両端から外せば、ストップピン孔１６から簡単に抜くことができる。
【００１３】
スタート部４は、操作支点２１、操作レバー２２、立係止板２３及び連結線２４とで構成される。操作支点２１は、基管柄２の突出柄挿入端１１付近の基管柄２外周位置において外半径方向に軸を固定される（図１参照）。図２及び図３に示すように、操作レバー２２は、長板状の基片２５と、基片２５に連続して一側が切られて狭幅とする指操作片２６とで形成される。基片２５の一端付近の長手方向中心線２２ａより一側に偏った位置に支点孔２７が穿孔され、支点孔２７を操作支点２１に係合して、操作支点２１を中心に回転自在に軸支される。また、操作支点２１の軸方向に多少動かせる様に操作レバー２２が軸支されて、操作レバー２２の面方向に揺動可能とし、指操作片２６が横方向Ｘだけでなく立係止板２３内を縦方向Ｙへも移動可能とし二次元的移動をする（図３参照）。連結溝２９は、支点孔２７と反対側の基片側辺から斜めに、支点孔２７に向かって形成され、連結線２４の連結リング２８を掛止め可能とする。
【００１４】
なお、連結溝２９の位置を変えた別に用意した複数の操作レバー２２の中から選択し交換使用すれば、異なる長さの連結線２４に対応可能である。又は、一つの操作レバー２２であっても、複数の連結溝２９，・・を備えれば、交換することなく異なる長さの連結線２４に対応できるだけでなく、連結線２４の張り具合に強弱を付けて突出ばね５の圧縮セット時の付勢力を調整することができる。
また、操作レバー２２が図２の矢印方向に回転することで、連結溝２９に掛止めされた連結リング２８が外れ、連結線２４を介して突出ばね５の圧縮時付勢力が解放され、突出管柄３を突出させる。
【００１５】
図３に示す立係止板２３は、内側にレバー移動溝３１が形成されている矩形板であり、基管柄２外周において溶接等によって起立状態に固定される。レバー移動溝３１は縦溝３２と横溝３５とで鉤状に構成され、縦溝３２に二段階状に第１係止段３３及び第２係止段３４が形成され、横溝３５が操作レバー２２の指操作片２６が水平に通過できる間隙を有する。立係止板２３の設置位置は、操作支点２１を中心に操作レバー２２を回転（図２の矢印）及び揺動させると（図３のＸ，Ｙ方向）、レバー移動溝３１内を操作レバーの指操作片２６のみが移動可能であり、図２の二点鎖線矢印の如く一回転すると基片側端２５ａのみを制止できる位置である。また、この設置向きは、基片側端２５ａのみを当接して制止できるように、基管柄軸心線１ａに対して斜め向きに固定される（図２参照）。なお、この斜め向き設置に対応して、縦溝３２の操作レバー２２当接面も斜面に形成し、操作レバー２２の当接面積を確保している。
【００１６】
連結線２４は、細いワイヤロープ又はリンクチェーン等を組み合わせ、より戻し等も適宜設ける。一端が突出管柄３のストップピン１７に対して回動自在に取り付けられ（図１参照）、他端には操作レバー２２の連結溝２９に掛止めできる連結リング２８を備える（図１及び図２参照）。この連結線２４には、突出ばね５の圧縮セット時の付勢力が直接作用するため引張強度が十分に確保される材料を使用する。連結線２４の長さは、図１に示す突出管柄３が突出ばね５の圧縮セット位置まで基管柄２内に挿入される際に、ストップピン１７と連結溝２９とを結ぶ長さに合わせて調節される。
【００１７】
突出ばね５は圧縮コイルばねであり、基管柄２の主室２ａ内に収納され、図１では圧縮セット状態である。突出ばね５の一端が主室側仕切板１２の主室ばね受１２ａと接面し、他端が突出管柄３の突出ばね受３ａと接面し、ばね案内パイプ１４によって伸縮時にコイル内径側がガイドされる。ばね定数は、基管柄２内径及び突出管柄３の肉厚が基準となって、線径、巻数等によって調整し、コイル線が円形断面だけでなく、四角形又は矩形断面のものが適宜選択される（小玉正雄著，「ばねのおはなし」，第１版，財団法人日本規格協会，１９８５年１０月１日，Ｐ１２５−１２７）。
【００１８】
緩衝ばね６は圧縮コイルばねであり、基管柄２の副室２ｂ内に収納され、図１では自由長状態である。緩衝ばね６の一端が副室側仕切板１２の副室ばね受１２ｂと接面し、他端が後述する制止部７の止ピン３６と接面する。なお、止ピン３６との間にワッシャ等を設け、十分な接触面積確保とねじれ防止を図ることができる（以下の他の実施形態においても同じ。）。設置スペースが限られているため、使用するコイル線は四角形又は矩形断面のコイル線を標準採用する。
【００１９】
制止部７は、図１に示すように、制止ワイヤ３７、緩衝ワイヤ３８及び中間調整体３９とで構成され、基管柄２及び突出管柄３内の同軸心１ａ上に配設される。
制止ワイヤ３７は、１本のワイヤロープ（一例として、ＪＩＳ  Ｇ  ３５２５相当）を環状とし、輪を平らにして一端がスリット状の制止溝３７ａであって、溝内に位置するストップピン１７に対して摺動自在とされ、他端が中間調整体３９に連結される。緩衝ワイヤ３８も１本のワイヤロープを環状とし、輪を平らにして一端が長円状の止溝３８ａであって、止ピン３６を着脱自在に設け、緩衝ばね６と接面させた止ピン３６をばね受けとし、他端が中間調整体３９に連結される。中間調整体３９は、リンクチェーン（一例として、ＪＩＳ  Ｂ  ８８１２相当）であり、両ワイヤ３８，３９の間に配設される。
【００２０】
制止部７の全長は、伸びきった状態が突出管柄３の突出停止状態となって槍の最大全長を決定する要素となっている。反対に図１に示す突出管柄３の挿入セット状態では、中間調整体３９が適度に重なり短くなって、制止部７の長さを短くして対応している。このため中間調整体３９の長さは、突出管柄３の最大突出位置を決定する長さとして選択される。他方、突出管柄３が圧縮セット位置として基管柄２内に収納される際には、ばね案内パイプ１４内においてリンクチェーンの余った長さ部分の各リンクが重なり合って、パイプ内に収まることができ、突出ばね５のコイル間に挟まれることもない。突出ばね５圧縮時の中間調整体３９の長さが短くできることによって、これを収納する基管柄２（ばね案内パイプ１４）の長さを可及的に短くできる。このため、突出管柄３を挿入した基管柄２が、持ち運びに便利な長さを採用できるので、携帯性を高めることができる。
【００２１】
制止溝３７ａ内をストップピン１７が滑らかに摺動させるには制止溝３７ａの直線性が必要であり、制止ワイヤ３７の剛性が確保される必要がある。また、制止ワイヤ３７の剛性が確保されると、基管柄２内の軸心１ａに位置させることも容易となる。更に、制止部７には突出停止時の突出ばね５付勢力が作用するため、十分な機械的強度も必要とされる。このため、制止ワイヤ３７の使用材料は、剛性及び機械的強度を有する素材であれば、ワイヤロープに限定する必要はない。
緩衝ワイヤ３８についても、止ピン３６を緩衝ばね受とするため、曲がりと位置ずれを防止するために剛性が必要とされ、この剛性及び機械的強度が確保されればワイヤロープに限定する必要もない。
【００２２】
動物捕獲補助具の止め刺し作業を行う槍１として、更に、突出管柄３の身柄取付部１５には身の柄が装着される。図示を省略するこの身は、柄付ナイフ９が選択される。この柄付ナイフ９は、広く市販されている狩猟用ナイフであり、刃渡り五寸品乃至六寸品が止め刺しには十分な刃渡り長さ品である。このナイフ９の柄が身柄９ａとなるが、身柄９ａの断面形状・大きさは、人の手の大きさ及び握り方等がほぼ決まっているので、若干のサイズ違い品があっても、所定の大きさのだ円となる。
【００２３】
突出管柄３の身柄取付部１５は、図４に示すように、身柄９ａ側面が接面可能な曲面の取付面４１を先端部分に備える。また、身柄９ａが取付面４１へ接面する時に、身柄９ａを固定装着するために、身固定部材４２が備えられる。身固定部材４２としては、一例として伸縮自在なゴムバンドの一端を身柄取付部１５に固定し、他端を環状，結び又はフック状等として身柄取付部１５に設けたバンド係止に対して掛止め，挿入又はフック等させる構成である。そして、取付面４１に接面した身柄９ａに対してゴムバンドを巻きつけ、バンド係止にフック等する固定方法である。他には、取付面４１等にボルト孔をあけてボルト・ナットによって締付固定する手段、ねじ孔を利用してねじ止めする手段等の周知技術を採用できる。
【００２４】
肩ベルト８は、布製等の帯ベルトを輪状に形成し、半円周長を突出管柄３の挿入完了時のストップピン１７位置から基管柄２の石突１０位置までの長さとしている。肩ベルト８は、一端をストップリング１８に係合させ、他端を長さ調整部材であるリンクチェーンを介して基管柄２に取付けて、人の肩掛可能とする。
【００２５】
次に、上述した第１実施形態の槍１の使用方法について説明する。先ず、図１に示す突出ばね５圧縮セット状態の槍１に対して、柄付ナイフ９を身柄取付部１５に取り付ける（図５イのナイフ付の槍が準備される。）。柄付ナイフ９取付前の槍１は肩掛け等の携帯時に安全であり、また、その時携帯している多目的用途の狩猟用ナイフを流用するので、極めて簡単に止め刺し用槍が準備できる。そして、狩猟者の利き腕側片手によって、スタート部４付近を握り、指操作片２６に親指を当て、対象の動物に狙いをつける。この時の姿勢は特に槍１を構えるというものでなく、ごく自然な姿勢を取ることができて動物に気配を気づかれることも無く、一般狩猟者でも簡単にできる。
【００２６】
そして、図５（イ）に示す突出ばね５圧縮セット状態において、指操作片２６を縦溝３２内にて移動させて、横溝３５に持ってくると、指操作片２６と立係止板２３との係止が外れる。指操作片２６が縦溝３２を移動する際、第１，第２係止段３３，３４によって、段階的に確実に指操作片２６の位置を確認しながら動かすことができ、操作意図に反する急激な動きを防止できる（図３参照）。そして、突出ばね５の付勢力によって操作レバー２２が回転し、連結溝２９から連結リング２８が外れ、連結線２４が解放されて、突出ばね５の付勢力によって突出管柄３が突き出る。この瞬間の制止部７の長さは、制止ワイヤ３７長ｄ１と、緩衝ワイヤ３８長ｄ２と、中間調整体３９のリンク重なりによって短くなった重なり長ｄ３との合計（ｄ１＋ｄ２＋ｄ３）である。また、ストップピン孔１６、ストップピン１７及び連結線２４が相互に回動可能に係合しているので、連結線２４のスムーズな解放動作が保証される。
【００２７】
そして、突出する突出管柄３のストップピン１７が制止溝３７ａ内を摺動して瞬時に端部を引き、図５（ロ）に示すように、中間調整体３９がリンク重なりのない長さｄ４に伸ばされ、伸びきった制止部７（ｄ１＋ｄ２＋ｄ４）によって突出管柄３の突き出し量Ｄ（ストップピン１７の移動距離Ｄと同じ。）を確保して制止される。この時、槍１を操作する一般狩猟者は特に熟練等を必要とせずに、安全かつ確実に止め刺し作業を行える。連結線２４の長さを変えて突出し量Ｄを適宜設定することで、猪等の動物止め刺しに必要な突き刺し量を確保できる。例えば、猪の場合では、猪の腹に４０ｍｍ程度突き刺せば、横隔膜を損傷させておとなしくさせることができる。
【００２８】
他方、緩衝ばね６は、ストップピン１７が止まり伸びきる瞬間の制止部７の反動を緩和して、基管柄２を持つ手への負担を軽減し、かつ止め刺し作業を安定化する。また、突出管柄３と基管柄２とは、突出し終わった状態では固定されておらず、突出ばね５がクッションの役目を果たしており、刺されたいのししが狩猟者の方へ突然向かっても、この向かう力が突出ばね５によって弱められて安全である。なお、回転する操作レバー２２は、図２の二点鎖線に示すように、操作支点２１を中心に解放時の慣性力によって回転し、基片側端２５ａが立係止板２３の側端に強く当って止まるが、幅広の基片２５のため衝撃力によって曲がることもない。また、立係止板２３も軸心線１ａに対して多少斜めに設置されるので、側端が基片側端２５ａと互いに直交して当り、強度的に双方とも有効となっている。
【００２９】
次に、槍１使用後に突出管柄３を再セットするには、先ず、指操作片２６を横溝３５及び縦溝３２と移動させて、レバー移動溝３１内の第１係止段３３に係止させてスタート部４を事前に準備する。次に、石突１０を地面に当てて垂直に立てるか、又は石突１０をお腹に当てて前向き水平にして、突出管柄３を基管柄２内へ突出ばね５のばね力に抗して挿入していき、突出ばね５が密着状態となる前に所定長の連結線２４の連結リング２８を、操作レバー２２の連結溝２９に引っ掛け、圧縮した突出ばね５の付勢力を操作レバー２２を介した立係止板２３によって制止し、突出ばね５圧縮時の突出管柄３の再セットが完了する。また、突出管柄３を突出ばね５に抗して挿入する際、肩ベルト８は半円周長を突出管柄３の挿入完了時のストップピン１７位置から基管柄２の石突１０位置までの長さに事前に調整している。このため石突１０を地面に当てて立てた状態にて、肩ベルト８に片足を掛けて踏み込めば、丁度地面まで踏み込むことができ、その時の突出管柄３の位置がセット位置となり、極めて簡単に腕力の無い狩猟者でもセットできる。
【００３０】
なお、請求項１に対応する槍用突出機構は、前述の第１実施形態の槍に使用される請求項３に対応する突出機構に対して、そのスタート部４の構成を可及的に簡単にして確実な突出動作を確保するものである。例えば、図６（イ）に示すように、スタート部６１は、立係止体６２と連結線２４とで構成される。立係止体６２は、連結線２４の連結リング２８を掛止め可能であり、この掛止めを片手指操作によって解除できる位置において、基管柄２外周に起立状態に溶接等によって固定される。連結線２４の前述第１実施形態と異なる点は、突出管柄３が突出ばね５の圧縮セット位置まで基管柄２内に挿入される際に、ストップピン１７と立係止体６２とを結ぶ長さに形成される点、また、ワイヤロープ及びリンクチェーンに限定されずに棒体、太い鋼線等の剛体も使用できる点である。この立係止体６２は応用変形可能な最も基本的構成であり、図６（イ）に示す支柱状に限定されずに各種周知形状を採用できる。
【００３１】
また、請求項２に対応する槍用突出機構は、第１実施形態の槍における請求項３に対応する突出機構に対して、スタート部６３が同じレバー式であるが、レバー式基本構成とし、応用変形を広く採用できる点が特徴である。例えば、図６（ロ）に示すように、操作レバー６４が長板であり、一端付近に穿孔される支点孔２７が操作支点２１に係合され、かつ操作支点２１を中心に回転自在かつ面方向に揺動可能に軸支され、連結線２４の連結リング２８が掛止め可能な連結溝２９を備える。また、立係止体６５は、連結リング２８が掛止めされている操作レバー６４を係止する位置であり、操作レバー６４の側端を当接させて解除後の操作レバー回転を制止する位置において、基管柄２外周に起立状態に溶接等によって固定される。そして、片手指操作によって操作レバー６４を回転及び揺動させて、操作レバー６４との係止を外して、操作レバー６４から連結リング２８の掛止めを解除できる。図６（ロ）に示す立係止体６５も支柱状であるが、これに限定されずに各種周知形状を採用できる。
【００３２】
次に、請求項４に対応する動物捕獲補助具であって、くくり作業に使う第２実施形態の槍２について説明する。第２実施形態は、前述第１実施形態に対して、身がナイフ９の代わりにくくり具４３である点が異なる。この場合のくくり具４３は、図７に示すように、柄４４の先にわな結びの結び部４６を固定し、引きロープ４７を手元に延ばす構成である。従来の使用法は動物から離れて柄４４を使って、足等にロープ輪４５を掛け、引きロープ４７を引っ張って動物をくくる。しかし本発明では、従来法の逆転の発想によって、ロープ輪４５の緊縮が、柄４４を急激に突出させて結び部４６をロープ輪４５の緊縮方向へ移動させることによって行われる。ここで重要な点は、ロープ輪４５に十分な剛性を必要とし、腰の十分に強いことが必要となる。すなわち、ロープ輪４５の腰が弱い場合、緊縮時に折れてしまい結び部４６が動かずにロープ輪４５を縮められないためである。
ロープ輪４５としては、繊維ロープ（ＪＩＳ  Ｌ  ０２１９参照）が好適である。また、結び部４６に相当する作用を行う各種締め具が市販されており、これらを利用する場合、ロープ輪４５にワイヤロープ（ＪＩＳ  Ｇ  ３５２５参照）を使用し、引きロープ４７は合成繊維ロープ等をワイヤロープに接続して手元側へ延ばす。
【００３３】
動物くくり作業における使用手順は前述の止め刺しの場合と、ほぼ同じであり異なる点のみ説明する。先ず、身柄取付部１５にくくり具４３の柄４４を固定し、くくり具４３先端のロープ輪４５を動物の足等に近づける。このとき基管柄２は片手でなく両手を使って、引きロープ４７と一緒に握られ、くくり作業を安全かつ確実に行える。次に、スタート部４を作動させると、突出管柄３の突出によって、くくり具４３の柄４４先が前に出てロープ輪４５を瞬間的に縮め、動物の足等を緊縮する。このとき、突出及び緊縮動作の衝撃は、緩衝ばね６によって弱められて基管柄２を持つ手へ伝わるので、狩猟者にとって安全である。また、動物が急激に暴れても、突出管柄３と基管柄２とは、突出ばね５を介しているのみで固定されていないので、突出ばね５のばね力によって動物の突発力が弱められて、狩猟者の手元は安全となる。このように一般狩猟者にとっても安全確実なくくり作業を提供できる。
【００３４】
次に、請求項５に対応する第３実施形態は、上記第１、第２実施形態の制止部７の制止ワイヤ３７、中間調整体３９及び緩衝ワイヤ３８に対して、１本の中央ワイヤ４０とした構成である。この中央ワイヤ４０は、図８に示すように、ワイヤロープの両端を折り返しＵ字端とし、スリーブ４０ｃによって締め付け固定されて形成される。一端がスリット状の制止溝４０ａに形成され、溝内に位置するストップピン１７に対して摺動自在とされ、他端が長円状の止溝４０ｂであって、止ピン３６を着脱自在に設け、緩衝ばね６と接面させてばね受けとされる。制止溝４０ａの長さは、ストップピン１７の圧縮時位置から突出完了位置までの移動を確保する必要があるため、突出管柄３の突出量Ｄを確保できる長さに対応させて決められる。第３実施形態の槍は、中間調整体３９が無いため、上記第１，第２実施形態に比べて槍の柄が長くなるが、制止部７の剛性は向上するため、突出時及び挿入セット時の突出管柄３動作の安定性を確保することができる。なお、中央ワイヤ４０は上記１本ワイヤロープからの形成に限定されず、環状ワイヤロープを平たくして両端に制止溝４０ａ，止溝４０ｂを設けるように締付固定する等の周知技術を採用できる。
【００３５】
次に請求項６に対応する第４実施形態は、上記第１、第２実施形態に対して、突出管柄３の突出完了後に、基管柄２内挿入方向への摺動を制止すべく、手動セットされる管固定部材４８が、基管柄２の突出柄挿入端１１に配置される点が異なる。管固定部材４８の一例としては、図９に示すように、ばね線材をＵ字状に曲げ、両端を鉤状とした固定ピン４９を基管柄２の突出柄挿入端１１にチェーン等を介して設け、突出管柄３側に設けた二つの固定孔５０によって構成される。ばね線材採用理由は、その弾性によって手動によって簡単に拡開して固定孔５０へセットできる点にある。従って、固定ピン４９の弾性が確保できる材料であれば、他の公知材料を採用できる。固定方法は、突出管柄３の突出完了後に、固定ピン４９の両端を固定孔５０へ係合させると、固定ピン４９が突出管柄３の挿入を阻止し、両管柄２，３が固定される。突出ばね５をクッションとして利用するより、両管柄２，３を１本の柄として使用する場合に好適である。また、他の固定手段としては、Ｕ字状固定ピン４９でなく、真直ぐなストレートピンが使用される場合、制止ワイヤ３７との干渉を防止するため、固定孔５０は軸心線１ａ付近をさけて、穿孔される。さらに、ちょうボルト・ナット止めにて帯バンドを締め付ける、ホースバンド形式のものを突出柄挿入端１１前の突出管柄３に取り付ける手段もあり、その他周知の固定技術を採用できる。
【００３６】
次に、請求項７に対応する第５実施形態は、前記第４実施形態に対して、制止部７を１本の中央ワイヤ４０とする構成であり、上述の第３実施形態の特徴と同じである。従って、第４実施形態の構成及び作用と異なる点は、第３実施形態での説明と同じであり、詳細な説明を省略する。
【００３７】
次に、請求項８に対応する第６実施形態は、動物撃退用の槍であり、請求項３の槍用突出機構を使用して、上述の第１実施形態の構成とほぼ同じ構成のため、異なる点を説明する。先ず、渓流釣り等の山歩きが多いので、突出ばね５圧縮時の槍全体長を短くして携帯性を良くしただけでなく、誤作動を防止する必要がある。このため第６実施形態は、スタート部４における、操作レバー２２への手指の不要接触、若しくは操作レバー２２の不要回転又は両者を阻止する安全部材５１を備える。安全部材５１の一例は、図１０に示すように、基管柄２の外周及び立係止板２３近傍に安全リング５２を配置する構成である。安全リング５２は環状帯ゴムであり、横溝３５内に操作レバー２２が位置しても、安全リング５２を圧迫するときの弾性力、及び安全リング５２表面による摩擦力によって連結線２４からの突出ばね５の付勢力に抗することで、操作レバー２２を簡単に回転させずに立係止板２３との係止を簡単に外させない。使用材料はゴムに限定する必要は無く、弾性力又は摩擦力によって操作レバー２２の回転阻止できる素材であれば良く、合成樹脂材等の利用も可能である。また、安全部材５１の他例としては、図示を省略するが、スタート部４全体を立体的なカバーによって覆う構成もある。このカバーは、着脱自在の着脱式又はヒンジによって上方へ回転開放し、下方へ回転閉鎖するヒンジ付開閉式等があり、単独設置又は前述の安全リング５２と併設することもできる。
【００３８】
また、身柄取付部１５に装着される身は、鞘及び柄付ナイフ９であり、ナイフ柄が身柄９ａとなる。なお、動物撃退に適する道具類で柄付によって身柄取付部１５へ取り付け可能であれば、ナイフ９に限定する必要はない。動物に何時遭遇するか不明であるため、ナイフ９は山に入る時に装着される。また、鞘を備えることで、渓流釣り中といった長時間にわたってナイフが装着されても安全を十分確保できる。
【００３９】
また、本第６実施形態は第４実施形態の特徴である管固定部材４８を備える。構成及び作用は第４実施形態と同じため、詳細な説明を省略する。撃退用「槍」としての使用だけでなく、撃退用の特有の使用方法として、この管固定部材４８によって基管柄２と突出管柄３とを１本化し、撃退用「棒」として使用することも可能である。撃退用棒は、古武器の一種である棒術の範疇にも入り、槍と同様に利用範囲が広い。すなわち、悪条件下でも柄の長さを変えて周囲の状況に合わせることで、振り回し動作等によって動物に対抗できる。
【００４０】
次に、請求項９に対応する第７実施形態は、模擬戦闘ゲーム用の槍であり、前述第６実施形態に対して次の点が異なる。安全第１の対人ゲームに使用するため、身柄取付部１５に装着される身が模造刀であり、模造刀の柄が身柄となる。模造刀としては、刃を合成樹脂材又はゴムによって形成するか、剣先に球状のタンポ（竹刀等に使用される。）を使用する。刃が合成樹脂材の場合、身体を傷つけるおそれも万が一あるので、突出ばね５のばね定数を弱くして、突出力を抑止する。また、基管柄２等の使用材料が鉄鋼でなく合成樹脂等を使用して軽量性の確保だけでなく、人体を打った時にダメージ無くして人体への安全性を確保する。特に基管柄２の外周面、又は摺動に支障ない範囲の突出管柄３の外周面に、クッション材等を配設すると、人体を打っても安全である。また、前記第６実施形態と同様に、スタート部４に安全部材５１を配設し、基管柄２と突出管柄３とに管固定部材４８を配設する。構成及び作用は同じため詳細な説明を省略する。模擬戦闘ゲーム（サバイバルゲーム）においては、基管柄２を短くしたことによる携帯性を生かして使用すること、突出管柄３の突出動作を生かして使用すること、突出前の短い槍若しくは棒、又は突出完了後の１本の長い槍若しくは棒として使用することで、各種の玩具武器として多彩に利用でき、ゲームの娯楽性を高めることができる。
【００４１】
なお、第６実施形態等の安全部材５１は請求項４等の動物捕獲補助具用の槍１に対しても装備可能である。この場合、安全部材５１の作用効果が、上述の請求項４等の作用効果へ付加される。
【００４２】
【発明の効果】
以上説明したように、請求項１乃至３に係る槍用突出機構であれば、特別な訓練技術習得の必要も無く一般人でも確実な槍の突出し動作を可能とし、携帯性の高い槍を提供できる。また、請求項４，６に係る動物止め刺しの動物捕獲補助具の槍であれば、動物の止め刺し作業において突き刺しの気配を動物に気づかれることなく、悪い足元等の悪条件下であっても一般狩猟者が簡単確実に槍の突出しでき、槍の携帯性を高めて、棒等の撲殺に代わって槍普及に貢献できる。また、請求項４，６に係る動物くくり作業の動物捕獲補助具の槍であれば、前述の確実な槍の突出動作によって、訓練経験不足の一般狩猟者でも安全かつ確実に、両手を使って動物をくくることができ、携帯性を高めことができる。請求項５，７に係る槍では、前記請求項４，６の槍の携帯性を除いた効果を有する。また、請求項８に係る動物撃退用の槍であれば、釣り人等にとって足元の悪い所等においても、柄の長さを変えられるだけでなく、槍の確実な突出し動作によって動物撃退ができ、かつ携帯性も高くできる。さらに、請求項９に係る模擬戦闘ゲーム用の槍であれば、模擬戦闘ゲームに使用する玩具武器の槍に多彩な動作を与えてゲームの娯楽性を高め、かつゲーム参加者に俊敏な動きを付与する携帯性が確保される。
【図面の簡単な説明】
【図１】第１実施形態の突出機構を示す断面図である。
【図２】第１実施形態のスタート部の動作状態を示す平面図である。
【図３】第１実施形態のスタート部の立係止板での動作状態を示す正面図である。
【図４】第１実施形態の身柄取付部の身柄取付状態を示す断面図である。
【図５】イは突出管柄の収納時における突出機構主要部の状態説明図であり、ロは突出管柄の突出完了時における同主要部の状態説明図である。
【図６】イは請求項１に対応する突出機構のスタート部の状態説明図であり、ロは請求項２に対応する同部の状態説明図である。
【図７】第２実施形態に使用する動物捕獲補助に用いるくくり具の概要図である。
【図８】第３，５実施形態の制止部を示す構成概要図である。
【図９】第４，５，６，７実施形態の管固定部材を示す外観図及び断面図である。
【図１０】第６，７実施形態の安全部材を示す断面図である。
【符号の説明】
１  槍  ２基管柄  ２ａ主室  ２ｂ副室  １１突出柄挿入端  １２仕切板  １３通孔  １４ばね案内パイプ  ３突出管柄  １５身柄取付部  １６ストップピン孔１７ストップピン  １８止め部材  ４，６１，６３スタート部  ２１操作支点２２，６４操作レバー  ２３立係止板  ６２，６５立係止体  ２４連結線  ５突出ばね  ６緩衝ばね  ７制止部  ３６止ピン  ３７制止ワイヤ  ３８緩衝ワイヤ  ３９中間調整体  ８肩ベルト  １０石突  ２５基片  ２６指操作片  ２７支点孔  ２８連結リング  ２９連結溝  ３１レバー移動溝  ３２縦溝  ３５横溝  ３３第１係止段  ３４第２係止段  ４０中央ワイヤ  ４３くくり具  ４８管固定部材  ４９固定ピン  ５１安全部材  ５２安全リング
【図１】
2004147544.tif 000003
【図２】
2004147544.tif 000004
【図３】
2004147544.tif 000005
【図４】
2004147544.tif 000006
【図５】
2004147544.tif 000007
【図６】
2004147544.tif 000008
【図７】
2004147544.tif 000009
【図８】
2004147544.tif 000010
【図９】
2004147544.tif 000011
【図１０】
2004147544.tif 000012